(57)【要約】【課題】重量を軽くしながら、優れた耐荷重強度を実現する。【解決手段】柱状体は、複数枚の側面板１０を両側縁部で連結してなる筒体３の両端の開口部を端面板２０で閉塞している。側面板１０は、対向する第１の表面１１及び第２の表面１２と、長さ方向の両側に設けられた側面１３と、長さ方向の両端に設けられた端面１５とを備え、側面１３を、第１の表面１１に対して鋭角にカットされた傾斜面１７としている。筒体３は、隣接する側面板１０同士を対向する傾斜面１７で接着して固定し、外周面を第１の表面１１で構成している。端面板２０は、閉塞端面２１と挿入端面２２と複数の外周面２３とを備え、外形を筒体３の開口部の内面に沿う形状として、開口部の内面に接着している。さらに、筒体３の内部であって、長さ方向の一部の領域に、柱状体を外部と連結するための固定ブロック４を備え、この固定ブロック４を筒体３の芯体に兼用している。【選択図】図４
2017109059.tif 000002
【特許請求の範囲】
【請求項１】
所定の幅と長さを有する複数枚の側面板を長さ方向の両側縁部で連結して、内部を中空状としてなる筒体と、
前記筒体の両端の開口部を閉塞する端面板と、
を備えており、
前記複数枚の側面板は、対向する第１の表面及び第２の表面と、前記第１の表面及び前記第２の表面の間であって、長さ方向の両端に設けられた端面を備えると共に、一部の側面板については、前記第１の表面及び前記第２の表面の間であって、長さ方向の両側に設けられた側面を備えて、前記側面を、前記筒体の横断面視において前記第１の表面に対して鋭角にカットされた傾斜面としており、
前記筒体は、隣接する前記側面板同士を対向する位置で接着して固定すると共に、前記傾斜面を有する側面板においては、前記傾斜面で接着して固定して、前記筒体の外周面を前記第１の表面で構成しており、
前記端面板は、前記筒体の開口端に配置される閉塞端面と、前記閉塞端面に対向して前記筒体の内部に配置される挿入端面と、前記閉塞端面と前記挿入端面の間に設けられた複数の外周面とを備えており、前記外周面で形成される外形を前記筒体の開口部の内面に沿う形状として、前記開口部の内面に接着されて前記開口部を閉塞しており、
さらに、前記筒体の内部であって、長さ方向の一部の領域に、当該柱状体を外部と連結するための固定ブロックを備えており、
前記固定ブロックを前記側面板の第２の表面に固定して、該固定ブロックを前記筒体の芯体に兼用してなることを特徴とする家具用の柱状体。
【請求項２】
請求項１に記載の家具用の柱状体であって、
全ての前記側面板は、前記第１の表面及び前記第２の表面の間であって、長さ方向の両側に設けられた側面を備えると共に、前記側面を、前記筒体の横断面視において前記第１の表面に対して鋭角にカットされた傾斜面としており、
前記筒体は、隣接する側面板同士を対向する前記傾斜面で接着して固定してなる家具用の柱状体。
【請求項３】
請求項１に記載の家具用の柱状体であって、
前記端面板が、前記筒体の縦断面視において前記外周面を前記閉塞端面に対して鋭角にカットされた傾斜面としており、
前記側面板は、前記端面に、前記端面板の該外周面に沿ってカットされた傾斜部を備えており、
前記端面板の前記傾斜面を、前記側面板の該端面に設けた前記傾斜部に接合させて固定してなる家具用の柱状体。
【請求項４】
請求項１または２に記載の家具用の柱状体であって、
前記固定ブロックを前記端面板に兼用してなる家具用の柱状体。
【請求項５】
請求項１から４のいずれか一に記載の家具用の柱状体であって、
互いに隣接する前記側面板同士において、対向して接合される前記傾斜面の接合幅が等しくなるように、各側面板同士で前記第１の表面と前記側面とのなす傾斜角（α）を調整してなる家具用の柱状体。
【請求項６】
請求項１から４のいずれか一に記載の家具用の柱状体であって、
互いに隣接する前記側面板と前記端面板において、対向して接合される前記傾斜面と前記傾斜部の接合幅が等しくなるように、該端面板の前記閉塞端面と前記外周面とのなす傾斜角（β）と、該側面板の前記第１の表面と前記側面とのなす傾斜角（α）とを調整してなる家具用の柱状体。
【請求項７】
請求項１から６のいずれか一に記載の家具用の柱状体であって、
厚さが異なる複数の側面板を組み合わせて前記筒体を形成してなる家具用の柱状体。
【請求項８】
請求項１から７のいずれか一に記載の家具用の柱状体であって、
前記筒体の下端に連結される前記端面板を、前記側面板よりも厚く形成してなる家具用の柱状体。
【請求項９】
請求項１から８のいずれか一に記載の家具用の柱状体であって、
前記筒体の外形が、多角柱状、円柱状、部分的に湾曲面を有する多角柱状のいずれかである家具用の柱状体。
【請求項１０】
請求項１から９に記載の柱状体であって、
前記固定ブロックの横断面における外形を、前記筒体の横断面における内形よりも小さくしてなる家具用の柱状体。
【請求項１１】
請求項１から１０のいずれか一に記載される家具用の柱状体であって、
当該柱状体の表面に木目印刷を施してなる家具用の柱状体。
【請求項１２】
請求項１１に記載される家具用の柱状体であって、
前記木目印刷が、表面に塗布された下地塗料と、表面を局部的に押し潰して設けた無数の導管状凹部と、表面に印刷された木目塗料からなる木目模様とを備える家具用の柱状体。
【発明の詳細な説明】
【技術分野】
【０００１】
本発明は、テーブル、こたつ等の脚として使用され、あるいはベッド、棚等の支柱として使用される家具用の柱状体に関し、とくに、全体を軽量にしながら、優れた強度を有する家具用の柱状体に関する。
【背景技術】
【０００２】
テーブルやこたつ等の家具は、天板の四隅に脚を固定しており、これ等の脚で天板を支えている。このため、これ等の家具の脚には、強い耐荷重が求められる。このため、従来の家具では、これ等の脚に無垢の木材を使用して強度を持たせている。このような無垢の木材には種々のものがあるが、一般に木板等に比較して高額であり、とくに、長期間にわたって強度等の品質が保証される木材になると、商品価値が高く高額になる。また、無垢の木材は、強度が高いものになると重量が大きくなり、例えば、四隅に重い脚を備えるこたつ等においては、全体の重量が大きくなってしまう。とくに、テーブルやこたつ等の家具は、家庭生活において、移動させることがあるため、重量が大きくなると移動させるのが大変になる問題点がある。また、重量が重い家具は、その流通過程において搬送にも手間がかかる問題点もある。
【０００３】
このような問題点を解決するために、テーブル等に使用される脚材を、再生の硬質材等の紙材で製造する構造が開発されている（特許文献１参照）。この脚材は、硬質の紙材を筒状に形成して全体に強度を持たせている。紙製の脚材は、全体の重量を軽くできると共に、材料が紙であるため製造コストを低減できる特徴がある。ただ、紙製の脚材は、耐荷重特性が無垢の木材に比べて極めて弱く、また水にも弱く、さらには経時的な劣化もあるため、長期間にわたって安心して使用できない問題点があった。
【０００４】
さらに、全体の重量を軽くする柱状体として、板材の表面に断面Ｖ字形とする複数の切欠溝を平行に設けて、これ等の切欠溝を閉じるように折曲し、板材を接着して全体を筒状に形成する柱状体が開発されている（特許文献２参照）。この柱状体は、木板を切欠溝で折曲して全体を筒状にするので、木質材の質感を残しつつ全体を軽くできる特徴がある。ただ、この柱状体は、中空の筒状に形成されるので、横断面方向の耐荷重強度が極めて弱くなる問題点がある。また、この柱状材を家具等の脚材として使用するには、家具の本体側、例えば、テーブルやこたつ等においては天板に連結する必要があるが、筒状の柱状体は、家具の本体側に対して強固に連結できない問題点がある。さらに、筒状の柱状体は、開口部において木材の木口が露出するので、この部分の外観が悪くなり、このままでは家具の脚材として使用できない。とくに、中空状の柱状体は、外観が実際の木材とは異なるため、実際の木材のような重厚で高級感のある質感を出すことができない問題点もある。
【先行技術文献】
【特許文献】
【０００５】
【特許文献１】実開平０８−１２３０号公報
【特許文献１】特開昭５４−１３５２０号公報
【発明の概要】
【発明が解決しようとする課題】
【０００６】
本発明は、従来のこのような問題点を解決するためになされたものである。本発明の主な目的は、重量を軽くしながら、優れた耐荷重強度を実現できる家具用の柱状体を提供することにある。さらに、本発明は、優れた強度を実現しながら、簡単かつ容易に外部の部材に連結できる家具用の柱状体を提供することにある。さらにまた、本発明は、表面の質感を無垢の木材を近似させて高品質な質感を実現できる家具用の柱状体を提供することにある。
【課題を解決するための手段及び発明の効果】
【０００７】
本発明の柱状体は、所定の幅と長さを有する複数枚の側面板１０を長さ方向の両側縁部で連結して、内部を中空状としてなる筒体３と、筒体３の両端の開口部を閉塞する端面板２０とを備えている。複数枚の側面板１０は、対向する第１の表面１１及び第２の表面１２と、第１の表面１１及び第２の表面１２の間であって、長さ方向の両端に設けられた端面１５とを備えると共に、一部の側面板１０については、第１の表面１１及び第２の表面１２の間であって、長さ方向の両側に設けられた側面１３を備えて、側面１３を、筒体３の横断面視において第１の表面１１に対して鋭角にカットされた傾斜面１７としている。筒体３は、隣接する側面板１０同士を対向する位置で接着して固定すると共に、傾斜面１７を有する側面板１０においては、傾斜面１７で接着して固定して、筒体３の外周面を第１の表面１１で構成している。端面板２０は、筒体３の開口端に配置される閉塞端面２１と、閉塞端面２１に対向して筒体３の内部に配置される挿入端面２２と、閉塞端面２１と挿入端面２２の間に設けられた複数の外周面２３とを備えており、外周面２３で形成される外形を筒体３の開口部の内面に沿う形状として、開口部の内面に接着されて開口部を閉塞している。さらに、柱状体は、筒体３の内部であって、長さ方向の一部の領域に、柱状体を外部と連結するための固定ブロック４を備えており、この固定ブロック４を側面板１０の第２の表面１２に固定して、固定ブロック４を筒体３の芯体に兼用している。
【０００８】
上記構成により、柱状体の重量を軽くしながら、優れた耐荷重強度を実現できる。柱状体の重量を軽くできるのは、柱状体の内部を中空状とするからである。本発明の柱状体は、複数枚の側面板を各々の両側縁部で連結してなる筒体の両端を端面板で閉塞して柱状とするので、内部を中空状に形成して重量を軽くできる。このため、種々の家具に脚や支柱として使用しながらで全体の重量を軽くする特徴が実現できる。さらに、本発明の柱状体は、内部を中空状とするにも関わらず、優れた強度を実現できる。それは、側面板の側面を傾斜面とし、隣接する側面板同士を対向する傾斜面で接着して固定しているからである。この柱状体は、側面板の側面を第１の表面または第２の表面に対して鋭角にカットされた傾斜面として、対向する傾斜面を接合面として側面板を接着するので、接合面となる傾斜面の幅を側面板の厚さよりも大きくしてより広い面積で接合できる。これにより、隣接する側面板同士を強固に固定して優れた耐荷重強度を実現できる。
【０００９】
さらに、筒状に形成された筒体の開口部を閉塞する端面板は、複数の外周面で形成される外形を筒体の開口部の内面に沿う形状として、開口部の内面に接着して開口部を閉塞するので、筒体の端部を側面板に密着状態で接合される端面板の外周面で保持して優れた連結強度を実現できる。これにより、筒体の端部おける側面板と端面板とを強固に固定して優れた耐荷重強度を実現できる。
【００１０】
さらに、柱状体は、外部と連結するための固定ブロックを筒体に内部に備えている。この固定ブロックは、外部に配置される部材を柱状体に連結するための部材であって、この固定ブロックを内蔵することで、外部から挿入される連結具を介して、柱状体を外部の部材に連結できる構造としている。この柱状体は、筒体に内蔵される固定ブロックを側面板の内面に固定しているので、この固定ブロックを筒体の芯体に兼用して、耐荷重強度をより高めることができる。
【００１１】
さらに、以上の柱状体は、筒体の外周面を側面板の第１の表面で構成するので、外周面には側面板の木口面が露出せず、外観を綺麗にできる。また、外周面に木口面が露出しないので、柱状体の外周面の経時的な変形等を防止して、表面状態を長期間にわたって安定した状態に保持して優れた品質を維持できる。
【００１２】
本発明の柱状体は、全ての側面板１０が、第１の表面１１及び第２の表面１２の間であって、長さ方向の両側に設けられた側面１３を備えると共に、この側面１３を、筒体３の横断面視において第１の表面１１に対して鋭角にカットされた傾斜面１７としており、隣接する側面板１０同士を対向する傾斜面１７で接着して筒体３とすることができる。
上記構成により、筒体を構成する全ての側面板を対向する傾斜面で接着して固定することで筒体の強度をさらに強くできる。
【００１３】
本発明の柱状体は、端面板２０が、筒体３の縦断面視において外周面２３を閉塞端面２１に対して鋭角にカットされた傾斜面２７として、側面板１０は、端面１５に、端面板２０の外周面２３に沿ってカットされた傾斜部２８を備えて、端面板２０の傾斜面２７を、側面板１０の端面１５に設けた傾斜部２８に接合させて固定することができる。
上記構成により、端面板と側面板とを、閉塞端面に対して傾斜する面を接合面として接着するので、接合面となる傾斜面の接合幅を端面板の厚さよりも大きくしてより広い面積で接合できる。これにより、側面板と端面板とをより強固に固定して優れた耐荷重強度を実現できる。
【００１４】
本発明の柱状体は、固定ブロック４を端面板２０に兼用することができる。
上記構成により、筒体の内部に配置される固定ブロックを端面板に兼用することで、部品数を減らして製造コストを低減しながら、固定ブロックで閉塞された筒体の端面を外部との連結面として柱状体を外部に連結できる
【００１５】
本発明の柱状体は、互いに隣接する側面板１０同士において、対向して接合される傾斜面１７の接合幅（Ｈ）が等しくなるように、各側面板１０同士で第１の表面１１と側面１３とのなす傾斜角（α）を調整することができる。
【００１６】
本発明の柱状体は、互いに隣接する側面板１０と端面板２０において、対向して接合される傾斜面２７と傾斜部１８の接合幅（Ｓ）が等しくなるように、端面板２０の閉塞端面２１と外周面２３とのなす傾斜角（β）と、側面板１０の第１の表面１１と側面１３とのなす傾斜角（α）とを調整することができる。
【００１７】
本発明の柱状体は、厚さが異なる複数の側面板１０を組み合わせて筒体３を形成することができる。
【００１８】
本発明の柱状体は、筒体３の下端に連結される端面板２０を、側面板１０よりも厚く形成することができる。
【００１９】
本発明の柱状体は、筒体３の外形を、多角柱状、円柱状、部分的に湾曲面１９を有する多角柱状のいずれかとすることができる。
【００２０】
本発明の柱状体は、固定ブロック４の横断面における外形を、筒体３の横断面における内形よりも小さくすることができる。
【００２１】
本発明の柱状体は、表面に木目印刷６を施すことができる。木目印刷６は、表面に塗布された下地塗料６１と、表面を局部的に押し潰して設けた無数の導管状凹部６２と、表面に印刷された木目塗料６３からなる木目模様とを備えることができる。
【図面の簡単な説明】
【００２２】
【図１】本発明の一実施例に係る柱状体を備えるテーブルの斜視図である。
【図２】本発明の一実施例に係る柱状体の斜視図である。
【図３】図２に示す柱状体のＩＩＩ−ＩＩＩ線断面図である。
【図４】図３に示す柱状体のＩＶ−ＩＶ線断面図である。
【図５】図３に示す柱状体のＶ−Ｖ線断面図である。
【図６】図２に示す柱状体のＶＩ−ＶＩ線断面図である。
【図７】図２に示す柱状体の製造工程を示す分解斜視図である。
【図８】図２に示す柱状体と天板の連結構造を示す分解斜視図である。
【図９】本発明の他の実施例にかかる柱状体の断面図である。
【図１０】本発明の他の実施例にかかる柱状体の断面図である。
【図１１】本発明の他の実施例にかかる柱状体の断面斜視図である。
【図１２】本発明の他の実施例にかかる柱状体の斜視図である。
【図１３】図１２に示す柱状体の拡大平面図である。
【図１４】本発明の他の実施例にかかる柱状体の斜視図である。
【図１５】図１４に示す柱状体の水平断面図である。
【図１６】図１４に示す柱状体の垂直断面図である。
【図１７】本発明の他の実施例にかかる柱状体の水平断面図である。
【図１８】本発明の他の実施例にかかる柱状体の斜視図である。
【図１９】図１８に示す柱状体の平面図である。
【図２０】本発明の他の実施例にかかる柱状体の使用例を示す分解斜視図である。
【図２１】本発明の他の実施例にかかる柱状体の水平断面図である。
【図２２】図２に示す柱状体に木目印刷を施した状態を示す一部拡大斜視図である。
【発明を実施するための形態】
【００２３】
以下、本発明の実施例を図面に基づいて説明する。ただし、以下に示す実施例は、本発明の技術思想を具体化するための家具用の柱状体を例示するものであって、本発明は柱状体を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２４】
本発明の家具用の柱状体は、テーブル、こたつ、ベッド、机等の脚として使用され、あるいは二段ベッド、棚、什器等の支柱として使用される。したがって、本明細書において家具とは、こたつ、テーブル、ベッド、机、棚、什器等を含む広い意味で使用する。脚や支柱として使用される柱状体は、通常、垂直に立てた姿勢で使用される。したがって、本明細書において、上下方向は、水平面に対して垂直な方向（図における上下方向）とする。
【００２５】
図１に、本発明の一実施の形態にかかる家具用の柱状体として、テーブル８０の脚８１として使用される柱状体１を示している。図に示すテーブル８０は、４本の柱状体１を四角形の天板８２の四隅に固定して、天板８２を水平姿勢に支持している。各柱状体１は、天板８２の下面に略垂直な姿勢で固定されている。
【００２６】
柱状体１は、所定の幅と長さを有する複数枚の側面板１０を長さ方向の両側縁部で連結して、内部を中空状としてなる筒体３と、筒体３の両端の開口部を閉塞する端面板２０とを備えている。図に示す柱状体１は、横断面視における外形を正方形とする角柱状に形成している。この柱状体１は、４枚の合同な側面板１０を連結して筒体３を四角筒状として、その両端の開口部を正方形の端面板２０で閉塞している。ただ、柱状体は、図示しないが、横断面視における外形を長方形とすることもできる。この柱状体は、対向する側面板を合同な形状として筒体を形成し、その両端の開口部を長方形の端面板で閉塞する。さらに、柱状体は、断面視における外形を方形状には特定しない。詳細には後述するが、柱状体は、その外形を、多角柱状、円柱状、楕円柱状、部分的に湾曲面を有する多角柱状等とすることもできる。
【００２７】
側面板１０は、対向する第１の表面１１及び第２の表面１２と、第１の表面１１及び第２の表面１２の間であって、長さ方向の両側に設けられた側面１３と、長さ方向の両端に設けられた端面１５とを備えている。図の側面板１０は、所定の厚さを有する平板を所定の外形にカットして形成されている。さらに、側面板１０は、側面１３を、筒体３の横断面視において第１の表面１１に対して鋭角にカットされた傾斜面１７としている。筒体３は、隣接する側面板１０同士を対向する傾斜面１７で接着して全体の形状を筒状に形成すると共に、筒体３の外周面を第１の表面１１で構成している。このように、側面板１０の側面１３を傾斜面１７とし、隣接する側面板１０同士を対向する傾斜面１７で接着して固定する構造は、接合面となる傾斜面１７の接合幅（Ｈ）を側面板１０の厚さ（ｄ）よりも大きくしてより広い面積で接合できるので、隣接する側面板同士を強固に固定できる。また、この構造は、対向する傾斜面１７を接合してコーナー部を形成するので、筒体３の外周面に木口面を露出させることなく美しい外観を実現できる。
【００２８】
図に示す筒体３は、４枚の側面板１０の厚さ（ｄ）を等しくしている。この側面板１０は、第１の表面１１と側面１３とのなす傾斜角（α）を４５度としており、互いに対向する傾斜面１７の接合幅（Ｈ）を等しくすると共に、対向する傾斜面１７を接着して接合する状態で、隣接する側面板１０同士がなす角が直角となるようにしている。この構造は、全ての側面板１０を同じ構造として安価に多量生産できるので、製造コストを低減できる。
【００２９】
端面板２０は、筒体３の両端の開口部であって、図においては上下の開口部を閉塞している。図に示す端面板２０は、筒体３の開口端に配置される閉塞端面２１と、閉塞端面２１に対向して筒体３の内部に配置される挿入端面２２と、閉塞端面２１と挿入端面２２の間に設けられた複数の外周面２３とを備えている。端面板２０は、外周面２３で形成される外形を筒体３の開口部の内面に沿う形状としている。この端面板２０は、開口部の内面に接着されて開口部を閉塞している。
【００３０】
さらに、図に示す端面板２０は、筒体３の縦断面視において外周面２３を閉塞端面２１に対して鋭角にカットされた傾斜面２７としている。側面板１０は、端面１５に、端面板２０の外周面２３に沿ってカットされた傾斜部１８を備えており、端面板２０の傾斜面２７と側面板１０の傾斜部１８とを接着して固定している。図４に示す柱状体１は、端面板２０の厚さ（ｔ）を側面板１０の厚さ（ｄ）よりも厚くすると共に、互いに隣接する端面板２０と側面板２０の対向する傾斜面２７と傾斜部１８の接合幅（Ｓ）が等しくなるようにしている。この柱状体１は、端面板２０の閉塞端面２１と外周面２３とのなす傾斜角（β）と、側面板１０の第１の表面１１と傾斜部１８とのなす傾斜角（α）とを調整して、互いに対向する傾斜面２７と傾斜部１８の接合幅（Ｓ）を等しくすると共に、対向する傾斜面２７と傾斜部２８を接着して接合する状態で、端面板２０と側面板１０がなす角が直角となるようにしている。
【００３１】
この端面板２０と側面板１０は、閉塞端面２１と第１の表面１１とを直角に連結しながら、接合幅（Ｓ）を等しくするために、端面板２０の厚さ（ｔ）及び傾斜角（β）と、側面板１０の厚さ（ｄ）及び傾斜角（α）の間に以下の式が成り立つように調整される。
Ｓ＝ｄ／ｓｉｎα＝ｄ／ｃｏｓβ
Ｓ＝ｔ／ｃｏｓα＝ｔ／ｓｉｎβ
【００３２】
このように、端面板２０の外周面２３を傾斜面２７とし、対向する側面板１０の端面１５の傾斜部１８と接着して固定する構造は、接合面となる傾斜面１７及び傾斜部１８の接合幅（Ｓ）を端面板２０の厚さ（ｔ１、ｔ２）よりも大きくして、より広い面積で接合できる。このため、端面板２０を筒体３の開口部に強固に固定できる。さらに、端面板２０を側面板１０よりも厚くする構造は、筒体３の端部における連結強度を高めることができる。図に示す端面板２０は、閉塞端面２１の外形を筒体３の外形に等しくしている。この構造は、柱状体１の端面を端面板２１で閉塞するので、端面側に木口面を露出させることなく美しい外観を実現できる。
【００３３】
図の柱状体１は、筒体３の上下の開口部を各々厚さの異なる端面板２０で閉塞している。ここで、図に示す柱状体１は、上端側の端面板の厚さ（ｔ２）を側面板１０の厚さ（ｄ）と等しくし、下端側の端面板の厚さ（ｔ１）を側面板１０の厚さ（ｄ）よりも厚くしている。これにより、荷重がかかりやすい柱状体１の下端側の強度を高くできる。
【００３４】
以上の側面板１０や端面板２０には、例えば、ＭＤＦが使用できる。ＭＤＦで形成される側面板１０や端面板２０は、所定の厚さのＭＤＦの原板を、所定の外形にカットして製造される。このように、側面板１０や端面板２０をＭＤＦで製造する構造は、木質材の外観としながら安価に製造できる。とくに、原板を有効に利用して歩留まり良く製造できる。ただ、側面板１０と端面板２０は、ＭＤＦ以外の木質材、例えば、パーチクルボードや集成材、合板で製造することもできる。
【００３５】
固定ブロック４は、柱状体１を外部と連結するための部材であって、筒体３の中空部３１に配置される。固定ブロック４は、中空部３１の全体ないし大部分の領域に配置されることなく、長さ方向における一部の領域であって、外部と連結される領域に配置される。このように、固定ブロック４を配置する領域を限定することで、内部に配置される固定ブロック４を小さくして全体の重量を小さくできる。固定ブロック４は、例えば、テーブルやこたつの脚として使用される柱状体においては、天板とに連結部分である上端部に配置される。また、詳細には後述するが、ベッドの柱のように、中間部分を枠体に連結する構造の柱状体にあっては、中間部分に固定ブロックを配置する。
【００３６】
図に示す固定ブロック４は、木材を切断して中空部３１の内部に配置できる形状に形成したものである。固定ブロック４は、柱状体１を外部の部材に対して強い連結強度で連結するために、好ましくは無垢の木材が使用される。このように、無垢の木材を使用する固定ブロック４は、柱状体１を外部と連結する際に、連結具を強いトルクで確実に連結させることができる。固定ブロック４は、筒体３の内面であって側面板１０の第２の表面１２に沿う形状に形成されて、外周面が第２の表面１２に固定される。ただ、固定ブロック４は、必ずしも全ての外周面を筒体３の内面に固定する必要はなく、固定ブロック４の横断面形状を中空部３１の内形よりも小さくすることもできる。
【００３７】
図３〜図７に示す固定ブロック４は、筒体３の内部に配置される外形の柱状であって、三角柱状としている。この形状の固定ブロック４は、図３〜図６に示すように、一部の外周面である固定面４１のみを筒体３の内面である第２の表面１２に固定して、残りの面を非固定面４２として筒体３の内面に固定することなく中空部３１に配置している。この構造は、固定ブロック４を非固定面４２でカットして固定ブロック４を小さくし、筒体３の内面との間に空隙部３２を設けることで、柱状体１の重量をさらに軽くできる。
【００３８】
図に示す柱状体１は、筒体３の横断面形状を正方形としており、固定ブロック４の横断面形状を、正方形を対角線で２分割した形状、すなわち、直角二等辺三角形状としている。断面を直角二等片三角形とする固定ブロック４は、直角の両側に位置する面を固定面４１として、筒体３の内面である第２の表面１２に接着して固定している。さらに、この固定ブロック３は、柱状体１の横断面視において、直角三角形の斜辺となる面を非固定面４２として筒体３の内形となる四角形の対角線の位置に配置されるようにしている。この形状の固定ブロック４は、断面視における最大辺となる斜辺が、筒体３の内形おける最大間隔となる対角線の位置に配置されることで、固定ブロック４の断面形状を小さくしながら、筒体３に対して位置ずれしないように確実に固定できる。
【００３９】
さらに、図に示す柱状体１は、外部の部材と連結するための連結具を連結するために、上端部をカットして連結凹部２を設けている。図に示す柱状体１は、上端部における１つのコーナー部を三角柱状にカットして、連結凹部２を形成している。この柱状体１は、連結凹部２から露出する固定ブロック４の露出面４３に雌ネジ部材５を固定しており、この雌ネジ部材５にねじ込まれる連結ボルトを介して外部の部材に連結されるようにしている。この柱状体１は、例えば、図８に示すように、天板８２に設けたスカート部８３に連結されて天板８２の定位置に配置される。スカート部８３は、天板８２の下面から下方に突出する凸条で天板８２の４辺に沿って固定されている。図に示すスカート部８３は、柱状体１との連結部分に固定プレート８４を設けている。固定プレート８４は、天板８２のコーナー部の下面において、隣接するスカート部８３を連結する状態で固定されている。固定プレート８４は、雌ネジ部材５と対向する位置に貫通孔８４Ａを開口している。柱状体１は、貫通孔８４Ａに挿通される連結ボルト８５が連結凹部２に設けた雌ネジ部材５にねじ込まて天板８２の定位置に固定される。
【００４０】
雌ネジ部材５は、図３〜図５に示すように、固定ブロック４の内部に挿入されて埋設されるアンカー筒部５１と、このアンカー筒部５１の一端に設けた鍔部５２とを備えている。アンカー筒部５１は、円筒状の筒部の内面に連結ボルト８５の雄ネジと噛み合う雌ネジ５３を設けている。さらに、アンカー筒部５１は外周面から突出する抜け止め凸部５４を備えている。この雌ネジ部材５は、固定ブロック４に設けた挿入孔４５に挿入された状態で抜けないように固定ブロックに埋設されると共に、連結ボルト８５を雌ネジ５３にねじ込むトルクで回転しないように固定ブロック４に固定される。図に示す固定ブロック４は、アンカー筒部５１を挿入するための挿入孔４５を設けており、この挿入孔４５の開口部には、雌ネジ部材５の鍔部５２を位置決めする段差凹部４６を設けている。この段差凹部４６に鍔部５２を当接させる状態で、雌ネジ部材５は固定ブロック４の定位置まで挿入されて固定される。雌ネジ部材５は、鍔部５２の表面が、固定ブロック４の露出面４３と同一平面上に位置するように固定される。
【００４１】
以上の柱状体は、その用途により外形や長さが特定される。例えば、こたつやベッドの脚として使用される柱状体は、全長を３０〜５０ｃｍとし、テーブルや机の脚として使用される柱状体は、全長を６０ｃｍ〜８０ｃｍとすることができる。さらに、２段ベッドや棚、什器等の支柱として使用される柱状体は、１００〜２５０ｃｍとすることができる。したがって、側面板の長さは、柱状体の長さに応じて特定される。
【００４２】
また、柱状体は、横断面における外形の最大径を６０〜２００ｍｍ、好ましくは８０〜１５０ｍｍとすることができる。とくに、外形を四角注状とする柱状体は、１辺の長さを５０〜１５０ｍｍ、好ましくは６０〜１２０ｍｍ、さらに好ましくは７０〜１００ｍｍとすることができる。したがって、側面板の横幅は、形成される柱状体の外形に応じて特定される。
【００４３】
また、柱状体に使用する側面板１０は、その厚さを、３〜３０ｍｍ、好ましくは、４〜２０ｍｍさらに好ましくは５〜１５ｍｍとすることができる。側面板は、厚さを厚くすると、接合面となる側面や端面の接合幅を広くすることができ、強度を高めることができる。ただ、厚さを厚くすると、重量が大きくなると共に、コストも高くなる。したがって、側面板の厚さは、柱状体の強度を考慮しながら、外形や長さに応じて最適な厚さとなるように決定される。
【００４４】
さらにまた、柱状体に使用する端面板２０は、筒体３の上下によって厚さを変更することができる。例えば、筒体の上端開口を閉塞する端面板は、側面板と同様に、その厚さを、３〜３０ｍｍ、好ましくは、４〜２０ｍｍさらに好ましくは５〜１５ｍｍとすることができる。また、筒体３の上端開口を閉塞する端面板２０は、好ましくは側面板１０より厚くして、その厚さを、５〜５０ｍｍ、好ましくは、８〜４０ｍｍさらに好ましくは１０〜３０ｍｍとすることができる。
【００４５】
以上の柱状体１は、複数の側面板１０の厚さ（ｄ）を等しくするが、側面板は、異なる厚さ（ｄ１、ｄ２）のものを組み合わせることもできる。図９〜図１１に示す柱状体は、厚さ（ｄ１、ｄ２）の異なる２種類の側面板１０を組み合わせて筒体３を形成している。図９に示す筒体３は、薄い側面板１０と厚い側面板１０とを互いに対向する位置に配置して、４枚の側面板１０を連結して筒状に形成している。互いに隣接する側面板１０同士は、対向する側面１３である傾斜面１７で接着して接合されている。図９に示す柱状体１は、厚さの異なる側面板１０同士の対向する傾斜面１７の接合幅（Ｈ）が等しくなるようにしている。この柱状体１は、厚さの薄い側面板１０の傾斜角（α１）と厚さの厚い側面板の傾斜角（α２）とを調整して、互いに対向する傾斜面１７の接合幅（Ｈ）を等しくすると共に、対向する傾斜面１７同士を接着して接合する状態で、隣接する側面板１０同士がなす角が直角となるようにしている。
【００４６】
この柱状体１は、厚さの異なる側面板１０同士を互いに直角に連結しながら、接合幅（Ｈ）を等しくするために、一方の側面板１０の厚さ（ｄ１）及び傾斜角（α１）と、他方の側面板１０の厚さ（ｄ２）及び傾斜角（α２）との間に以下の式が成り立つように調整される。
Ｈ＝ｄ１／ｓｉｎα１＝ｄ１／ｃｏｓα２
Ｓ＝ｄ２／ｃｏｓα１＝ｄ２／ｓｉｎα２
【００４７】
さらに、図１０に示す筒体３は、薄い側面板１０と厚い側面板１０とを互いに隣り合う位置に配置して、４枚の側面板１０を連結して筒状に形成している。互いに隣接する側面板１０同士は、対向する側面１３である傾斜面１７で接着して接合されている。図１０に示す柱状体１は、厚さが等しい側面板１０同士については、傾斜角（α）を４５度として互いに対向する傾斜面１７の接合幅（Ｈ）を等しくすると共に、対向する傾斜面１７を接合する状態で、隣接する側面板１０同士がなす角が直角となるようにしている。また、厚さの異なる側面板１０同士については、前述の図９で示す側面板１０と同様にして、対向する傾斜面１７の接合幅（Ｈ）が等しくなるように傾斜角（α１、α２）を調整して、対向する傾斜面１７同士を直角に連結している。
【００４８】
また、図１１に示すように、厚さの厚い側面板１０同士を隣接させて連結してなる柱状体１においては、厚いコーナー部の表面を削り取って凹部３３を設けることで、表面に凹凸のある立体構造とすることができる。とくに、側面板１０を厚くすることで凹部３３を深く形成できるので、より深みのある凹凸構造が実現できる。
【００４９】
以上のように、柱状体は、厚さ（ｄ１、ｄ２）の異なる側面板１０同士を連結しながら、接合幅（Ｈ）を等しくすることで、良好な接合状態を実現しながら、強度を高めることができる。ただ、側面板の厚さを厚くすると、重量が大きくなると共に、コストも高くなる。したがって、側面板の厚さは、柱状体の強度を考慮しながら、外形や長さに応じて最適な厚さとなるように決定される。
【００５０】
さらに、図１２に示す柱状体１は、横断面における外形を八角形状としている。この柱状体１は、８枚の側面板１０を連結して八角柱状の筒体３を形成している。図に示す筒体３は、外形及び内形を正八角形とする筒状に形成している。図に示す側面板１０は、８枚を合同な形状としており、互いに両側縁で連結することで全体を筒状に形成している。８枚の側面板１０は、互いに連結されて筒体３が形成される状態で、筒体３の外周面と内周面の断面形状が共に正八角形となるようにしている。このことを実現するために、各側面板１０は、図１３に示すように、側面１３の傾斜角（α）を所定の角度に調整している。図に示す側面板１０は、第１の表面１１と側面とがなす傾斜角（α）が６７．５度となるようにしている。さらに、図１２に示す柱状体１は、底面においては、底面と上面の形状を正八角形とする角錐台形状の端面板２０で筒体３の下端開口部を閉塞している。ここで、正八角錐台形状である端面板２０は、正八角形状の底面の１辺の長さを側面板１０の第１の表面１１の幅と等しくすると共に、正八角形状の上面の１辺の長さを側面板１０の第２の表面１２の幅と等しくしている。
【００５１】
このように、柱状体１の底面を筒体３の外形と等しい外形の底面を有する端面板２０で閉塞することで、脚として使用される柱状体１の外観を綺麗にしている。とくに、側面側においては端面板２０の木口面が露出することなく、また底面側においても、側面板１０の木口面が露出することなく美しい外観を実現している。さらに、端面板２０は、外周面２３を傾斜面２７としてこの傾斜面で対向する側面板１０の傾斜部と接合されるので、より広い面積で接合されて強固な連結構造が実現できる。
【００５２】
また、柱状体１の上端面において、筒体３の上端開口部を閉塞する端面板２０には、固定ブロック４を兼用している。すなわち、図に示す筒体３は、上端部の内面に筒体３の内面に沿う外形を有する固定ブロック４を固定して筒体３の上端開口を閉塞する端面板２０としている。図に示す筒体３は内形を正八角形とするので、端面板２０となる固定ブロック４の外形を筒体３の内面に密着する正八角形状としている。すなわち、この固定ブロック４は、図の鎖線で示すように、八角柱状としている。さらに、この固定ブロック４は、外部の部材と連結するための連結ボルトを連結するために、中央部には雌ネジ部材５を固定している。
【００５３】
図１４〜図１６に示す柱状体１は、横断面形状を円形状としている。この柱状体１は、外形を円形として内形を正六角形とする筒体３を備えている。図に示す筒体３は、６枚の側面板１０を両側縁部で連結しており、個々の側面板１０は、第１の表面１１を円弧状とすると共に、これと対向する第２の表面１２を平面状としている。さらに、側面板１０は、側面１３を傾斜面１７この傾斜面を介して互いに連結している。図に示す側面板１０は、６枚を合同な形状としており、互いに両側縁で連結することで全体を筒状に形成している。６枚の側面板１０は、互いに連結される状態で、外周面の断面形状が円形となり、内周面の断面形状が正六角形となるようにしている。
【００５４】
図に示す側面板１０は、第１の表面１１と側面１３とがなす傾斜角（α）が略９０度となり、第２の表面１２と側面１３とがなす傾斜角（γ）が１２０度となるようにしている。さらに、図に示す柱状体１は、底面においては、底面と上面の形状を正六角形とする角錐台形状の端面板２０で筒体３の下端開口部を閉塞している。ここで、正六角錐台形状である端面板２０は、底面を構成する１辺の長さを側面板１０の水平断面における円弧状の第１の表面１１の両端を連結する弦の長さと等しくすると共に、上面を形成する１辺の長さを側面板１０の第２の表面１２の幅と等しくしている。
【００５５】
このように、柱状体１の底面を端面板２０で閉塞することで脚として使用される柱状体１の外観を綺麗にしている。さらに、端面板２０は、外周面２３を傾斜面２７としてこの傾斜面２７で対向する側面板１０の傾斜部１８と接合されるので、より広い面積で接合されて強固な連結構造が実現できる。また、側面側においては端面板２０の木口面が露出することなく、底面側においても、底面側に露出する側面板１０の木口面を最小限としながら端面板２０で綺麗に閉塞できる。
【００５６】
また、柱状体１の上端面において、筒体３の上端開口部を閉塞する端面板２０には、図１２の柱状体１と同様に固定ブロック４を兼用している。図に示す筒体３は、端面板２０となる固定ブロックの外形を筒体３の内面に密着する正六角形状としている。すなわち、この固定ブロック４は、図の鎖線で示すように六角柱状としている。
【００５７】
図１２及び図１４〜図１６に示す柱状体１は、テーブルやこたつ等の脚として使用するために天板に連結できるようにしている。図に示す柱状体１は、上端面に連結プレート８７を固定して、この固定プレート８７を介して天板の下面に固定できるようにしている。図１４に示す柱状体１は、上面に配置される連結プレート８７を固定するための連結ボルト８５を挿通して固定する雌ネジ部材５を設けている。雌ネジ部材５には、前述のものが使用できる。
【００５８】
さらに、図１７に示す柱状体１は、５枚の側面板１０を連結して筒体３を形成しており、筒体３の横断面形状を略五角形状とすると共に、一部の側面板１０については、第１の表面１１を円弧状に湾曲させている。この柱状体は、第１の表面を湾曲面１９とする２枚の側面板１０Ａと平板状である３枚の側面板１０Ｂ、１０Ｃとを組み合わせて表面に部分的に曲面を有する筒体３を形成している。この柱状体１も中空部３１に配置される固定ブロック４を筒体３の横断面における内形よりも小さくしており、固定ブロック４の非固定面４２と筒体３の内面との間には空隙部３２を形成している。
【００５９】
さらに、図１８と図１９に示す柱状体１は、４枚の側面板１０を連結して外形を略長方形とする筒体３を形成している。この筒体３は、その外形において、１つの側面を円弧状に湾曲させると共に、内形を長方形状としている。さらに筒体３は、両端の開口部を、筒体３の内形に沿う外形を有する端面板２０で閉塞している。図の筒体３は、第１の表面１１を湾曲面１９とする側面板１０Ａと、この側面板１０Ａの両側面１３に固定される２枚の側面板１０Ｂと、湾曲面１９を有する側面板１０Ａと対向する位置に配置される側面板１０Ｃとを備えている。側面板１０Ａの両側に固定される２枚の側面板１０Ｂは、側面板１０Ａの両側面１０Ｂに第２の表面１２の端部を接着して固定している。さらに、側面板１０Ｂの一方の側面１３は、側面板１０Ａの湾曲面１９に沿う形状に湾曲させており、側面板１０Ｂの側面１３と側面板１０Ａの湾曲面１９とで筒体３の湾曲面を形成している。また、側面板１０Ｂと側面板１０Ｃとを連結するコーナー部においては、対向する位置に傾斜面１７を設けており、対向する傾斜面１７同士を接着して隣接する側面板１０Ｂと側面板１０Ｃとを固定している。この柱状体１は、湾曲面１９を有する側面板１０Ａの厚さを厚くすることで、隣接する側面板１０Ｂとの接合部分を広くして強固に接着しながら、側面板１０Ｂと側面板１０Ｃとの接合部分においては、傾斜面１７とすることで接合部分を広くして強固に接着できるようにしている。
【００６０】
さらに、図１８の柱状体１は、外部と連結するために、中空部３１の上端に固定ブロック４を配置すると共に、側面板１０Ｃの上端部には雌ネジ部材５を固定している。筒体３の中空部３１に配置される固定ブロック４は、側面板１０Ｂ、１０Ｃの内面に沿う直方体形状としており、横断面形状を筒体３の内形よりも小さくして、固定ブロック４と側面板１０Ａの内面との間には空隙部３２を形成している。
【００６１】
さらに、図２０は、ベッドの支柱９１として使用される柱状体１を示している。図に示す柱状体１は、上端ではなく、上下の中間部分に、縦枠９２と横枠９３を連結する構造としている。図に示す柱状体１は、縦枠９２を連結するための連結構造として、固定ブロック４にねじ込まれて固定される固定ネジ９５と、縦枠９２に固定された連結金具９４とを備えている。この連結構造は、柱状体１の第１の面１Ａに固定された固定ネジ９５の軸部に縦枠９２の連結プレート９４を係止して、縦枠９２を定位置に連結できるようにしている。この連結構造は、固定ネジ９５のネジ頭と柱状体１の表面との間にできる隙間に連結プレート９４を配置しながら、連結プレート９４を固定ネジ９５に係止させて縦枠９２を定位置に連結できる構造としている。
【００６２】
さらに、図に示す柱状体１は、横枠９３を連結するための連結構造として、ほぞ９６とほぞ穴９７とを設けている。図に示す柱状体１は、第一の面と隣接する第２の面１Ｂにほぞ９６を挿入するためのほぞ孔９７を設けている。図に示すほぞ孔９７は、柱状体１の第２の面１Ｂに対して垂直方向に穿孔されており、横枠９３の端面から突出して設けたほぞ９６を垂直な姿勢で挿入して連結できるようにしている。
【００６３】
さらに、図の柱状体１は、内部に固定された固定ブロック４と対向する位置であって、表面の側面板１０を貫通して固定ブロック４まで届く深さのほぞ孔９７を設けている。これにより、ほぞ孔９７に挿入されるほぞ９６を確実に固着させて保持できるようにしている。ほぞ孔９７に挿入されるほぞ９６は、例えば、接着剤により強固に固定される。とくに、固定ブロック４を無垢の木材として、木板である横枠９３に設けたほぞ９６をほぞ孔９７に接着する構造は、木質材同士の相性も良く接着剤で強固に固定できる。ただ、この連結構造に類似した連結構造として、柱状体１と横枠９３の対向面にほぞ孔と同様の連結孔を設けて、これ等の連結孔に連結ロッドを挿入して横枠を柱状体に連結することもできる。この連結ロッドには、金属ロッドや木製のロッドも使用できる。
【００６４】
以上の柱状体１は、中空状に形成された筒体３の内部の一部分であって上下の中間部分に固定ブロック４を固定している。固定ブロック４が固定される位置は、外部の部材が連結される位置に特定される。したがって、一段のベッドの支柱９１として使用される柱状体１は、ベッドの縦枠９２となる部材が連結される位置や、ベッドの横枠９３となる部材が連結される位置に対向して配置される。図２０に示すように、縦枠９２と横枠９３が同じ部分に連結される柱状体１においては、柱状体１の内部に一つの固定ブロック４を配置することで、柱状体１の異なる面に連結される部材を連結することができる。なお、図２０に示す柱状体１は、固定ブロック４として、四角筒状の筒体３の４つの内面に当接する四角柱状の木材を使用している。ただ、筒体３の内部に配置される固定ブロック４は、図２１に示すように、柱状体１の長さ方向に沿って部分的にカットして非固定面を設けて、筒体の内部に空隙部３２を設けることもできる。このように、固定ブロック４にカット部を設ける構造は、柱状体１の重量をさらに軽くできる特徴がある。
【００６５】
さらに、縦枠と横枠とが異なる箇所に連結される柱状体においては、柱状体の内部に複数の固定ブロックを配置することで、異なる箇所に連結される部材を連結することができる。このように、異なる箇所に配置される固定ブロックも、図示しないが、連結される部材を対向する面以外の面と対向する部分を、柱状体の長さ方向にカットすることができる。この構造も柱状体の重量を軽くできる。さらに、２段ベッドや棚、什器等のように、上下の複数箇所に本体部となる部材（例えば、枠材や棚板）を連結する構造においては、筒体の内部であって、上下の複数箇所に離して複数の固定ブロックを配置することができる。このように、筒体の内部であって、長さ方向に離しての複数の固定ブロックを固定する構造は、柱状体の強度を高めながら、複数の本体部を確実に固定して支持できる。
【００６６】
さらに、柱状体１は、図２２に示すように、表面に木目模様をプリントしてなる木目印刷６を設けることもできる。図に示す柱状体１は、表面に塗布された下地塗料６１と、表面を局部的に押し潰して設けた無数の導管状凹部６２と、表面に印刷された木目塗料６３からなる木目模様をプリントして木目印刷６を設けている。この柱状体１は、天然木材に独特の凹部模様からなる高品質な立体模様を表面に設けて美しい外観とすることができる。ただ、柱状体は、必ずしも無数の導管状凹部を設けた木目印刷を設ける必要はなく、表面に直接木目模様をダイレクトに印刷した木目印刷とすることもできる。
【００６７】
以上の柱状体１について耐荷重強度を測定した。図２に示す構造の柱状体１は、側面板１０の筒体３の外形を１辺を７５ｍｍの正方形とし、長さを６５ｃｍとし、筒体３を構成する側面板１０の厚さを６ｍｍとし、上端に位置する端面板２０の厚さを６ｍｍ、下端に位置する端面板２０の厚さを２０ｍｍとし、筒体３の上端部に筒体３の内面のうち隣り合う２面に接合される三角注状であって、長さ方向の全長を８ｃｍとする固定ブロックを固定してなる柱状体１であって、上端部の１つのコーナー部を、長さ方向と水平方向にカットして連結凹部２を設けた構造としている。固定ブロック４には、ゴムの木を使用した。
【００６８】
この構造の柱状体１の耐荷重実験を実施すると、長さ方向おける荷重試験では、９３０ｋｇ重の荷重までひびが入ることなく耐えることができ、長さ方向の中央部における横方向の耐荷重には、８９０ｋｇ重の荷重までひびが入ることなく耐えることができた。このように、内部を中空状とする構造としながらも、隣接する側面板１０同士を対向する傾斜面で接着して接合することで強固接合状体を実現でき、また、側面板１０の両端部において側面板１０の端面と端面板２０の外周面とを傾斜面で接合することで強固な接合状態を実現して、優れた耐荷重特性を実現できた。
【産業上の利用可能性】
【００６９】
本発明の柱状体は、テーブル、こたつ等の脚として使用され、あるいはベッド、棚等の支柱として種々の家具に好適に使用できる。
【符号の説明】
【００７０】
１…柱状体
１Ａ…第１の面
１Ｂ…第２の面
２…連結凹部
３…筒体３
４…固定ブロック
５…雌ネジ部材
６…木目印刷
１０…側面板
１０Ａ…側面板
１０Ｂ…側面板
１０Ｃ…側面板
１１…第１の表面
１２…第２の表面
１３…側面
１５…端面
１７…傾斜面
１８…傾斜部
１９…湾曲面
２０…端面板
２１…閉塞端面
２２…挿入端面
２３…外周面
２７…傾斜面
３１…中空部
３２…空隙部
３３…凹部
４１…固定面
４２…非固定面
４３…露出面
４５…挿入孔
４６…段差凹部
５１…アンカー筒部
５２…鍔部
５３…雌ネジ
５４…抜け止め凸部
６１…下地塗料
６２…導管状凹部
６３…木目塗料
８０…テーブル
８１…脚
８２…天板
８３…スカート部
８４…固定プレート
８４Ａ…貫通孔
８５…連結ボルト
８６…止めネジ
８７…連結プレート
９１…支柱
９２…縦枠
９３…横枠
９４…連結金具
９５…固定ネジ
９６…ほぞ
９７…ほぞ孔
【図１】
2017109059.tif 000003
【図２】
2017109059.tif 000004
【図３】
2017109059.tif 000005
【図４】
2017109059.tif 000006
【図５】
2017109059.tif 000007
【図６】
2017109059.tif 000008
【図７】
2017109059.tif 000009
【図８】
2017109059.tif 000010
【図９】
2017109059.tif 000011
【図１０】
2017109059.tif 000012
【図１１】
2017109059.tif 000013
【図１２】
2017109059.tif 000014
【図１３】
2017109059.tif 000015
【図１４】
2017109059.tif 000016
【図１５】
2017109059.tif 000017
【図１６】
2017109059.tif 000018
【図１７】
2017109059.tif 000019
【図１８】
2017109059.tif 000020
【図１９】
2017109059.tif 000021
【図２０】
2017109059.tif 000022
【図２１】
2017109059.tif 000023
【図２２】
2017109059.tif 000024